(57)【特許請求の範囲】
【請求項１】
互いに間隔を空いて平行して配置される一対の水平支持台を含み、前記一対の水平支持台の上にパレットを積載して移動する移動胴体部と、
前記一対の水平支持台のそれぞれから垂直上方に連結され、高さの調節が可能な一対の垂直支持台を含む高さ調節胴体部と、
前記一対の垂直支持台の上端に連結される横バー形態のハンドルを含み、前記ハンドルを前記一対の垂直支持台から離れる上方向へ移動させるハンドルの引き寄せ操作の際に、前記一対の水平支持台及び前記一対の垂直支持台の固定状態を解除させるフォルディング調節部と、を含み、
前記フォルディング調節部は、前記ハンドルの下側に形成される支持フレームと、前記支持フレームに備えられる弾性部材と、前記ハンドルと連結され、前記弾性部材を介在して前記支持フレームと間隔を空いて配置される流動フレームと、を含み、
前記流動フレームは、前記一対の垂直支持台の上端に形成された連結端部を固定させる一対の連結溝を含み、
前記流動フレームは、前記ハンドルの引き寄せ操作の際には、前記弾性部材を圧縮させ、前記支持フレームに近接する方向に移動し、前記ハンドルの引き寄せ操作の解除の際には、前記弾性部材の復元力によって前記支持フレームから離隔する方向に移動し、
前記ハンドルの引き寄せ操作の有無に応じて前記連結溝と前記連結端部との間の固定及び解除が調節可能である
ことを特徴とする引き寄せハンドル方式のフォルディング構造を有するパレット運搬装置。
【請求項２】
前記移動胴体部は、
前記一対の水平支持台の間を連結する連結バーを含み、
前記連結バーの両側の端部は、前記一対の水平支持台のそれぞれの一側の端部に挿入され、回動自在に形成される
請求項１に記載の引き寄せハンドル方式のフォルディング構造を有するパレット運搬装置。
【請求項３】
前記移動胴体部は、
前記一対の水平支持台のそれぞれから地面に向かって備えられるホイールと、
前記一対の水平支持台のそれぞれの外側に向かって突出され、前記ハンドルの引き寄せ操作を通じて前記一対の水平支持台及び前記一対の垂直支持台の固定状態が解除される場合、地面上で回転自在に備えられるサイドホイールと、を含む
請求項１に記載の引き寄せハンドル方式のフォルディング構造を有するパレット運搬装置。
【請求項４】
前記ホイール及び前記サイドホイールは、
前記一対の水平支持台の長さ方向に沿って少なくとも２つ以上が間隔を空いて配置され、
前記ホイール及び前記サイドホイールは交互に配置される
請求項３に記載の引き寄せハンドル方式のフォルディング構造を有するパレット運搬装置。
【請求項５】
前記高さ調節胴体部は、
前記一対の垂直支持台の設置方向に沿って、前記一対の水平支持台のそれぞれから垂直上方に固定された一対の挿入支持台を含み、
前記一対の挿入支持台は、
前記一対の垂直支持台の内側に挿入可能なサイズに形成される
請求項１に記載の引き寄せハンドル方式のフォルディング構造を有するパレット運搬装置。
【請求項６】
前記高さ調節胴体部は、
前記一対の挿入支持台と前記一対の垂直支持台との間の連結高さを調節する少なくとも一つの固定具を含む
請求項５に記載の引き寄せハンドル方式のフォルディング構造を有するパレット運搬装置。
【請求項７】
前記支持フレームの下端には、間隔を空いて突出される多数の円形の突出片が備えられ、
前記流動フレームの上端には、前記多数の円形突出片が挿入して据置される多数の半円形の収容溝が備えられる
請求項１に記載の引き寄せハンドル方式のフォルディング構造を有するパレット運搬装置。
【請求項８】
ホイールの両側に設けられた垂直補強板と、
前記垂直補強板の一側に垂直補強板と直交するように取り付けられた半円板と、を含む
請求項１に記載の引き寄せハンドル方式のフォルディング構造を有するパレット運搬装置。
【請求項９】
支持フレームの下端に設けられたガイドホイールを含む
請求項１に記載の引き寄せハンドル方式のフォルディング構造を有するパレット運搬装置。
【発明の詳細な説明】
【技術分野】
【０００１】
本発明の実施例は、引き寄せハンドル方式のフォルディング構造を有するパレット運搬装置に関し、より詳しくは、横バーの形態のハンドルの高さの調節が可能であり、引き寄せ操作に連動してパレット運搬装置の固定状態が解除され、未使用時に折り畳んで運搬や保管ができる引き寄せハンドル方式のフォルディング構造を有するパレット運搬装置に関する。
【背景技術】
【０００２】
周知のように、パレット（ｐａｌｌｅｔ）は、倉庫、工場などで貨物を運搬または積載保管するための台を意味する。
【０００３】
一般的に、このようなパレットは上下部が平坦な板材の形状に形成されており、その上部面に貨物を積載し、比較的に多量の貨物を一度に運搬できるようにすることで、物流の管理の際に、貨物の運搬及び保管を簡単にする用途として使用される。
【０００４】
尚、このようなパレットは、通常、側面を通じてフォークリフトのフォークが挿入され得る形態からなり、フォークリフトを用いて容易に移動できるようになっている。
【０００５】
さらに、このようなパレットは、作業者の手作業により運搬が可能であるが、このために、ハンドパレット運搬装置などの幾つかが紹介されている。
【０００６】
但し、現在まで知られているハンドパレット運搬装置の場合、パレットの平面形状及びサイズに対応する体積を有するが、未使用時に大きな体積によって広い空間を占めてしまう不便があった。
【０００７】
よって、パレット運搬装置の使用時と未使用時とを区別して、パレットの運搬に使われない場合には簡単かつ簡易な操作を通じて、折り畳んで運搬や保管ができるフォルディング構造を有するパレット運搬装置に対する開発が必要な実情である。
【０００８】
本発明に係わる先行技術として、特許文献１（２０１３年６月１２日公開）があり、上記先行文献には折り畳み式カートに関する技術が開示されている。
【先行技術文献】
【特許文献】
【０００９】
【特許文献１】大韓民国公開特許公報第２０１３−００６１９２７号
【発明の概要】
【発明が解決しようとする課題】
【００１０】
本発明は、横バー形態のハンドルの高さの調節が可能であり、引き寄せ操作に連動してパレット運搬装置の固定状態が解除され、未使用時に折り畳んで運搬や保管ができる引き寄せハンドル方式のフォルディング構造を有するパレット運搬装置を提供することを課題とする。
なお、本発明が解決しようとする課題は、以上で言及した課題に制限されず、ここで言及されていない更に他の課題は以下の記載から当業者にとって明確に理解される。
【課題を解決するための手段】
【００１１】
本発明の一側面によると、互いに間隔を空いて平行して配置される一対の水平支持台を含み、前記一対の水平支持台の上にパレットを積載して移動する移動胴体部と、前記一対の水平支持台のそれぞれから垂直上方に連結され、高さの調節が可能な一対の垂直支持台を含む高さ調節胴体部と、前記一対の垂直支持台の上端に連結される横バー形態のハンドルを含み、前記ハンドルの引き寄せ操作の際に、前記一対の水平支持台及び前記一対の垂直支持台の固定状態を解除させるフォルディング調節部を含む引き寄せハンドル方式のフォルディング構造を有するパレット運搬装置を提供する。
【００１２】
前記移動胴体部は、前記一対の水平支持台の間を連結する連結バーを含み、前記連結バーの両側の端部は、前記一対の水平支持台のそれぞれの一側の端部に挿入され、回動自在に形成されることができる。
【００１３】
前記移動胴体部は、前記一対の水平支持台のそれぞれから地面に向かって備えられるホイールと、前記一対の水平支持台のそれぞれの外側に向かって突出され、前記ハンドルの引き寄せ操作を通じて前記一対の水平支持台及び前記一対の垂直支持台の固定状態が解除される場合、地面上で回転自在に備えられるサイドホイールと、を含む。
【００１４】
前記ホイール及び前記サイドホイールは、前記一対の水平支持台の長さ方向に沿って少なくとも２つ以上が間隔を空いて配置され、前記ホイール及び前記サイドホイールは交互に配置されることができる。
【００１５】
前記高さ調節胴体部は、前記一対の垂直支持台の設置方向に沿って、前記一対の水平支持台のそれぞれから垂直上方に固定された一対の挿入支持台を含み、前記一対の挿入支持台は、前記一対の垂直支持台の内側に挿入可能なサイズに形成されることができる。
【００１６】
前記高さ調節胴体部は、前記一対の挿入支持台と前記一対の垂直支持台との間の連結高さを調節する少なくとも一つの固定具を含む。
【００１７】
前記フォルディング調節部は、前記ハンドルの下側に形成される支持フレームと、前記支持フレームに備えられる弾性部材と、前記ハンドルと連結され、前記弾性部材を介在して前記支持フレームと間隔を空いて配置される流動フレームと、を含む。
【００１８】
前記流動フレームは前記一対の垂直支持台の上端に形成された連結端部を固定させる一対の連結溝を含む。
【００１９】
前記流動フレームは、前記ハンドルの引き寄せ操作の際に、前記弾性部材を圧縮させ、前記支持フレームに近接する方向に移動し、前記ハンドルの引き寄せ操作の解除の際に、前記弾性部材の復元力によって前記支持フレームから離隔する方向に移動し、前記ハンドルの引き寄せ操作の有無に応じて前記連結溝と前記連結端部との間の固定及び解除が調節可能である。
【００２０】
前記支持フレームの下端には、間隔を空いて突出される多数の円形の突出片が備えられ、前記流動フレームの上端には、前記多数の円形突出片が挿入して据置される多数の半円形の収容溝が備えられることができる。
【発明の効果】
【００２１】
本発明の実施例によると、横バー形態のハンドルの高さの調節が可能であり、引き寄せ操作に連動してパレット運搬装置の固定状態が解除され、未使用時に折り畳んで運搬や保管することができ、便宜性が提供されることができる。さらに、大面積の保管場所を要しないため、空間効率性を極大化できる効果が得られる。
【００２２】
また、一般的な木材パレット及びプラスチックパレットを運搬するのに使用可能であり、水平支持台の上面に棚を設けることで一般の台車のように使うことができる。
【図面の簡単な説明】
【００２３】
【図１】本発明の実施例に係わる引き寄せハンドル方式のフォルディング構造を有するパレット運搬装置を簡略に示す斜視図
【図２】本発明の実施例に係わる引き寄せハンドル方式のフォルディング構造を有するパレット運搬装置を簡略に示す正面図
【図３】本発明の実施例に係わる引き寄せハンドル方式のフォルディング構造を有するパレット運搬装置を簡略に示す側面図
【図４】本発明の実施例に係わる引き寄せハンドル方式のフォルディング構造を有するパレット運搬装置を折り畳む動作を順次的に示す作動状態図
【図５】本発明の実施例に係わる引き寄せハンドル方式のフォルディング構造を有するパレット運搬装置を折り畳む動作を順次的に示す作動状態図
【図６】本発明の実施例に係わる引き寄せハンドル方式のフォルディング構造を有するパレット運搬装置を折り畳む動作を順次的に示す作動状態図
【図７】本発明の実施例に係わる引き寄せハンドル方式のフォルディング構造を有するパレット運搬装置の高さ調節構造を概略的に示す分解斜視図。
【図８】本発明の実施例に係わる引き寄せハンドル方式のフォルディング構造を有するパレット運搬装置のガイドホイールに対する設置説明図
【図９】本発明の実施例に係わる引き寄せハンドル方式のフォルディング構造を有するパレット運搬装置のガイドホイールに対する利用説明図
【発明を実施するための形態】
【００２４】
本発明の利点と特徴、及びそれらを達成する方法は、添付の図面と共に詳細に後述する実施例を参照すれば明確になる。本発明は、以下に開示されている実施例に限られず、互いに異なる多様な形態に具現されることができ、本実施例は、単に本発明の開示が完全になるようにし、本発明が属する技術分野で通常の知識を持った者に発明の範囲を完全に知らせるために提供されるものであり、本発明は、請求項によって定義される。明細書の全体における同一の参照符号は同一の構成要素を指す。
【００２５】
さらに、本発明の実施例を説明することにおいて、公知機能又は構成に関する具体的な説明が本発明の要旨を不明にする恐れがあると判断される場合は、その詳細な説明を省略する。さらに、後述する用語は、本発明の実施例における機能を考慮して定義された用語であって、これはユーザー及び運用者の意図または慣例などに応じて異なる。よって、その定義は本明細書の全般に亘る内容に基づいて行われる。
【００２６】
以下、添付の図面を参照しながら、本発明である引き寄せハンドル方式のフォルディング構造を有するパレット運搬装置について詳しく説明する。
【００２７】
図１ないし図３は、本発明の実施例に係わる引き寄せハンドル方式のフォルディング構造を有するパレット運搬装置を簡略に示す斜視図、正面図、及び側面図である。
【００２８】
図１ないし図３を参照すれば、引き寄せハンドル方式のフォルディング構造を有するパレット運搬装置（以下、単に「パレット運搬装置」と称する。）１００は、移動胴体部１１０、高さ調節胴体部１２０、及びフォルディング調節部１３０を含む。
【００２９】
移動胴体部１１０は、互いに間隔を空いて平行して配置される一対の水平支持台１１１を含み、前記一対の水平支持台１１１の上にパレット（未図示）を積載して移動する構成に該当する。
【００３０】
このために、前記移動胴体部１１０は、一対の水平支持台１１１のそれぞれから地面（即ち、底面）に向かって突出されたホイール１１３を含むことができる。
【００３１】
前記ホイール１１３は、多様な個数に備えられることができ、その種類及び形態に制限される必要がない。
【００３２】
また、前記移動胴体部１１０は、一対の水平支持台１１１のそれぞれから側面に向かって、即ち、外側方向に向かって突出されたサイドホイール１１５を含むことができる。
【００３３】
前記サイドホイール１１５は、前記ハンドルの引き寄せ操作を通じて前記一対の水平支持台及び前記一対の垂直支持台の固定状態が解除される場合、即ち、パレット運搬装置１００がフォルディングされた状態で、指紋上で回転自在に備えられることができる。言い換えれば、パレット運搬装置１００が元の形状を維持しながらパレットを積載して運搬する場合は、前記ホイール１１３の回転によって移動自在に構成され、それとは異なり、パレット運搬装置１１０がフォルディングされた状態では、前記サイドホイール１１５が地面に向かうように提供されることによって、サイドホイール１１５の回転によって移動自在に構成されることができる。
【００３４】
さらに、前記サイドホイール１１５は多様な個数に備えられることができ、その種類及び形態に制限される必要がない。
【００３５】
例えば、前記ホイール１１３及びサイドホイール１１５は、前記一対の水平支持台１１１の長さ方向に沿って、少なくとも２つ以上が間隔を空いて配置されることができる。さらに、望ましい実施例として、前記ホイール１１３及びサイドホイール１１５は交互に配置される構成を有することができる。さらに、それぞれのホイール１１３の両側面にホイールの回転軸を水平支持台の側面と一体化することができる垂直補強板１１３ａを重ね当て、垂直補強板の一側に半円板１１３ｂを直交するように取り付け、パレットに水平支持台を、パレットを挿入した後に持ち上げる際、ホイールへ伝われる製品の重量を堅固に支持することができ、地面に半円板が接面して支持することで、パレットの上昇を容易にすることを可能にした。
【００３６】
前記一対の水平支持台１１１の長さ、断面のサイズ及び形状は、その上部に積載されるパレットのサイズ、形状、及び構造によって多様に変更されることができる。その一例として、四角断面の棒鋼を用いることができる。
【００３７】
一方、前記移動胴体部１１０は前記一対の水平支持台１１１の間を連結する連結ばー１１７を含む。
【００３８】
前記連結バー１１７は前記一対の水平支持台１１１の一側の端部に連結され、前記一対の水平支持台１１１が互いに平行に配置された方向に交差して、それらを連結する部材である。
【００３９】
例えば、前記連結バー１１７の両側の端部は、前記一対の水平支持台１１１のそれぞれの一側の端部を通じて挿入され得るところ、挿入部位が回動可能なリンク形態からなることが望ましい。
【００４０】
高さ調節胴体部１２０は前記一対の水平支持台１１１のそれぞれから垂直上方に連結され、高さの調節が可能な一対の垂直支持台１２１を含んで構成されることができる。
【００４１】
前記高さ調節胴体部１２０は、特に、前記一対の垂直支持台１２１が、ユーザーが希望する高さに調節されて固定される機能を有するが、これによって、後述するハンドル１３１の高さの調節が可能になり、使用上の便宜性が向上され得る。
【００４２】
このために、前記高さ調節胴体部１２０は、前記一対の垂直支持台１２１の設置方向に沿って前記一対の水平支持台１１１のそれぞれから垂直上方に固定された一対の挿入支持台（図２及び図３の図面符号１２３）を含む。
【００４３】
さらに、前記一対の挿入支持台は、前記一対の垂直支持台の内側に挿入可能なサイズに形成されることができる。これは、図７を参照すれば確認できる。
【００４４】
また、前記高さ調節胴体部１２０は、前記一対の挿入支持台１２３と前記一対の垂直支持台１２１との間の連結高さを調節する少なくとも一つの固定具１２５を含む。
【００４５】
前記固定具１２５は、前記一対の挿入支持台１２３と前記一対の垂直支持台１２１との間の連結高さが調節された後、互いの間の高さ調節状態を固定させる役割をするところ、例えば、固定孔と、これに締結される固定ピンなどの構成を用いることができる。
【００４６】
このように、前記高さ調節胴体部１２０は、前記一対の挿入支持台１２３と前記一対の垂直支持台１２１との間の連結部位を異にして固定させることで長さ方向の伸縮調節が可能になる。
【００４７】
フォルディング調節部１３０は、一対の垂直支持台１２１の上端に連結される横バー形態のハンドル１３１を含み、ハンドル１３１の引き寄せ操作（即ち、上方に引き寄せる操作）の際に、一対の水平支持台１１１及び一対の垂直支持台１２１の固定状態を解除させるように構成され得る。このような操作を通じて、パレット運搬装置１００はフォルディングされ、パレットの運搬に使用されない場合（即ち、未使用時）に折り畳んで保管または運搬することができる。
【００４８】
このために、前記フォルディング調節部１３０は、ハンドル１３１、支持フレーム１３３、流動フレーム１３５、及び弾性部材１３７を含む。
【００４９】
ハンドル１３１は、横バー（ｂａｒ）の形態のハンドルを意味する。前記ハンドル１３１は、前述した垂直支持台１２１の高さが調節されることによって、ハンドル１３１の位置もユーザーの便宜によって高さが調節され得る。
【００５０】
支持フレーム１３３は、前記ハンドル１３１の下側に形成されることができる。さらに、弾性部材１３５が前記支持フレーム１３３の端部に掛けられて固定されることができる。
【００５１】
流動フレーム１３５は、前記ハンドル１３１と連結され、前記弾性部材１３５を介在して前記支持フレーム１３３と間隔を空いて平行して配置されることができる。
【００５２】
つまり、前記弾性部材１３５の弾性復元状態によって、ユーザーが前記ハンドル１３１を引き寄せ操作しない場合、前記流動フレーム１３５は前記支持フレーム１３３と離隔した状態に位置することができる。
【００５３】
さらに、前記流動フレーム１３５は、前記一対の垂直支持台１２１の上端に形成された連結端部（図２の図面符号１２２）を挿入固定させる一対の連結溝（図２の図面符号１３６）を含むことができる。
【００５４】
これによって、前記流動フレーム１３５は、前記垂直支持台１２１の使用時の形態を堅固に把持する機能を提供する。
【００５５】
例えば、前記流動フレーム１３５は、前記ハンドル１３１の引き寄せ操作の際に、前記弾性部材１３７を圧縮させ、前記支持フレーム１３３に近接する方向に移動するようになる。これとは反対に、前記流動フレーム１３５は、前記ハンドル１３１の引き寄せ操作の解除時に、前記弾性部材１３７の復元力によって前記支持フレーム１３３から離隔する方向に移動するようになる。
【００５６】
このように、前記ハンドル１３１の引き寄せ操作の有無に応じて、前記流動フレームに備えられた連結溝１３６と、前記一対の垂直支持台１２１の上端に形成された連結端部１２２との間の固定及び解除が調節されることによって、パレット運搬装置１００のフォルディング操作が可能になる。
【００５７】
また、前記支持フレーム１３３の下端には、間隔を空いて突出される多数の円形突出片１３３ａが備えられることができ、これに対応して、前記流動フレーム１３５の上端には前記多数の円形突出片１３３ａが挿入して据置される多数の半円形の収容溝１３５ａが備えられることができる。
【００５８】
図４ないし図６は、本発明の実施例に係わる引き寄せハンドル方式のフォルディング構造を有するパレット運搬装置を折り畳む動作を順次的に示す作動状態図である。
【００５９】
先ず、図４を参照すれば、パレットの運搬作業に使われない場合、ハンドル１３１を引き寄せてパレット運搬装置を折り畳む動作が示されている。
【００６０】
まず、前記ハンドル１３１を設定された方向（即ち、図面符号Ｗの方向）に引き寄せると、流動フレーム１３５は前記ハンドル１３１の引き寄せ操作の方向に連動して前記弾性部材１３７を圧縮させながら、前記支持フレーム１３３に近接する方向に移動するようになる。図８に示すように、支持フレームの下端にガイドホイールが設けられており、図９に示すように、パレット運搬装置を折り畳んでパレットに挿入する際、パレット運搬装置の作業高さをガイドホイール１３３ｂを用いて一定に維持できるようにした。
【００６１】
次に、図５を参照すれば、前記ハンドル１３１の引き寄せ操作に連動して、前記流動フレーム１３５の下端に形成された一対の連結溝１３６は、前記一対の垂直支持台１２１の上端に形成された一対の連結端部１２２と互いに分離されるようになる。
【００６２】
その結果、前記高さ調節胴体部１２０及びこれと連結された移動胴体部１１０は、ハンドル１３１が含まれたフォルディング調節部１３０との拘束状態が解除される。つまり、一対の水平支持台１１１の間に回動自在に連結される連結バー１１７によって、図面符号Ｒの方向に自由自在に折り畳まれる。
【００６３】
次に、図６を参照すれば、前記移動胴体部１１０はもちろん、前記高さ調節胴体部１２０が前記フォルディング調節部１３０からの拘束が解除され、パレット運搬装置の全体の形状がフォルディングされる構造が示されている。
【００６４】
このように、本発明の実施例に係わるパレット運搬装置１００は、簡単な引き寄せハンドル操作だけでも簡単に折り畳んで保管できる構造からなることができる。
【００６５】
上述したように、本発明の構成及び作用によると、横バー形態のハンドルの高さの調節が可能であり、引き寄せ操作に連動してパレット運搬装置の固定状態が解除され、未使用時に折り畳んで運搬及び保管することができ、便宜性が提供されることができる。
【００６６】
さらに、パレット運搬装置を簡単かつ簡易な操作を通じて、折り畳んで保管することができ、大面積の保管場所を要しておらず、空間の効率性を極大化することができる効果が得られる。
【００６７】
以上、本発明の引き寄せハンドル方式のフォルディング構造を有するパレット運搬装置について具体的に述べた。
【００６８】
以上のように、本発明は、限定された実施例と図面により説明されているが、本発明は、上記の実施例に限られず、これは本発明が属する分野で通常の知識を持った者であれば、このような記載から様々な修正及び変形が可能である。よって、本発明思想は、後述する特許請求の範囲のみによって把握され、この均等または等価的な変形は何れも本発明の範疇に属する。
【符号の説明】
【００６９】
１００：ハンドル引き寄せ方式のフォルディング構造を有するパレット運搬装置
１１０：移動胴体部
１１１：水平支持台
１１３：ホイール
１１３ａ：垂直補強板
１１３ｂ：半円板
１１５：サイドホイール
１１７：連結バー
１２０：高さ調節胴体部
１２１：垂直支持台
１２２：連結端部
１２３：挿入支持台
１２５：固定具
１３０：フォルディング調節部
１３１：ハンドル
１３３：支持フレーム
１３３ａ：突出片
１３３ｂ：ガイドホイール
１３５：流動フレーム
１３５ａ：受容溝
１３６：連結溝
１３７：弾性部材
【図１】
0006042487.tif 000002
【図２】
0006042487.tif 000003
【図３】
0006042487.tif 000004
【図４】
0006042487.tif 000005
【図５】
0006042487.tif 000006
【図６】
0006042487.tif 000007
【図７】
0006042487.tif 000008
【図８】
0006042487.tif 000009
【図９】
0006042487.tif 000010